(57)【特許請求の範囲】
【請求項１】
物品等を載置するための天板と、
前記天板に片持ちで連結されていて上面に前記天板の上面の延長面上の平面部を有している拡張部材と、
前記天板とは反対側で前記拡張部材に取り付け部を介して連結されていて上下方向に延びるパネル体とを備え、
前記拡張部材は、前記平面部を有している本体部と、前記本体部の前記平面部から下方に折り曲げられて前記パネル体に対向するように延びていて前記取り付け部を介して前記パネル体に連結される支持面部とを備え、前記支持面部と取り付け部は前記パネル体によって覆われていることを特徴とするテーブル什器。
【請求項２】
前記本体部は前記天板の下面に配設されて前記天板に固定される連結部材を有している請求項１に記載されたテーブル什器。
【請求項３】
前記拡張部材の左右両端部には前記拡張部材に交差する側部カバー部材が設けられ、前記側部カバー部材は前記天板の下面に受け部が延びて当接している請求項１または２に記載されたテーブル什器。
【請求項４】
前記天板の下部には支持部材を備えている請求項１から３のいずれか１項に記載されたテーブル什器。
【請求項５】
前記拡張部材には、配線の接続端子を装着するコネクタ部材、または配線を挿通させる配線挿通孔が設けられた請求項１から４のいずれか１項に記載されたテーブル什器。
【請求項６】
前記支持部材には配線を収容する配線収容部が設けられた請求項４に記載されたテーブル什器。
【発明の詳細な説明】
【技術分野】
【０００１】
本発明は、オフィスや公共施設等の執務室、会議室等で使用されるテーブル什器（演台）に関する。
【背景技術】
【０００２】
従来、オフィスや公共施設等の執務室、会議室等においては、作業平面を形成する天板を設けた演台等のテーブル什器が多く使用されている。こうしたテーブル什器は、例えば特許文献１〜３に記載されているように、執務者の使い勝手を向上させるためのオプション構成として、天板の背面側に電子機器に接続される電源ケーブルや通信ケーブル等の配線を処理するためのコネクタ部材や配線挿通部等が形成されている。
【０００３】
また、特許文献２に記載されたデスク装置では、支持部材に取り付けたデスク本体の背面側縁部にデスクトップパネルを連結部材で固定し、デスク本体の周縁部をデスクトップパネルで他の空間と区画しているものが知られている。このデスク装置は、電子機器を用いて例えばプレゼンテーションを行う際に、配線を目立たないようにデスク装置に配設することが可能になり、外観の見栄えを良好にすることができる。
【０００４】
また、講演会や説明会等において発表者が使用する演台として、特許文献３に記載された机が提案されている。この机は、床面上に載置された脚体と、脚体上面から上方に向かって立設されていて内部に配線収容空間を設けた支柱部材と、支柱部材の上端に設けた天板とを有している。天板上に載置して使用する電子機器の配線は支柱部内を通して下方に落とすように構成されている。
【先行技術文献】
【特許文献】
【０００５】
【特許文献１】特開２０１１-１０４００６号公報
【特許文献２】特開２０１１-１４７６６０号公報
【特許文献３】特許第４８４００５７号公報
【発明の概要】
【発明が解決しようとする課題】
【０００６】
しかしながら、特許文献１や特許文献２に記載されたテーブル什器は、上述したオプション構成をテーブルに取り付けるために、天板または天板を支持する支持体のいずれかにコネクタ部材や配線挿通部等のオプション構成を取り付けるための取付け部を設置する必要があった。そのため、テーブル什器の構造が複雑化すると共に、加工工数、組立工数及び製造コストが増大してしまうという問題を有していた。
【０００７】
更に、特許文献１や特許文献３に記載のテーブル什器では、什器の棚板に物品の載置や取り出し等の作業を行う際に、棚板の前後方向に物品を落下させてしまうおそれがあった。また什器を移動させる際にも移動時や停止時等に棚板上の物品等が慣性等で前後方向に落下するおそれがあった。更に、特許文献３記載の机では、棚板上に電子機器を載置した場合、電子機器の電力供給や通信等に用いる配線の設置や連結等は、支柱の後部から載置板の後端部と幕板との間を通して行うため配線が露出してしまう問題があった。
【０００８】
本発明は、このような課題に鑑みてなされたものであり、簡易的な構造で、加工工数、組立工数及び製造コストを小さく抑えると共に作業平面を広く確保できて、配線の設置による外観の見栄えを良好にできるテーブル什器を提供することを目的とする。  
【課題を解決するための手段】
【０００９】
本発明によるテーブル什器は、物品等を載置するための天板と、天板に片持ちで連結されていて上面に天板の上面の延長面上の平面部を有している拡張部材と、天板とは反対側で拡張部材に取り付け部を介して連結されていて上下方向に延びるパネル体とを備え、前記拡張部材は、前記平面部を有している本体部と、前記本体部の前記平面部から下方に折り曲げられて前記パネル体に対向するように延びていて前記取り付け部を介して前記パネル体に連結される支持面部とを備え、前記支持面部と取り付け部は前記パネル体によって覆われていることを特徴とする。
本発明によるテーブル什器によれば、電子機器や他の物品等を載置して作業等を行うための天板の一方の端部に拡張部材とパネル体を順次片持ち支持によって連結でき、天板の上面を拡張部材に延長させた同一平面を有するために天板と拡張部材とで広く拡張された作業平面を確保できて使い勝手が良い。しかも、拡張部材の他端側にパネル体を連結したため、パネル体によって天板や拡張部材の上面と外部空間とを仕切ることができて拡張部材の上面からの部材や物品の落下防止や隠蔽効果等を発揮できる。また、天板の作業面を狭めることなく拡張部材によってコンセント部材や配線挿通孔や什器備品等の他の部材を設置可能である上に、拡張部材とパネル体との間の取り付け部の空間を通して配線を下方に配設処理することができて外観上の見栄えがよい。また、拡張部材に上下方向に延びるパネル体を取り付けるに際し、支持面部にパネル体を対向して配置させて取り付け部で互いに連結したから、パネル体の支持強度が高く重量等で下方に曲がることもない。
【００１０】
また、本体部は天板の下面に配設されて天板に固定される連結部材を有していることが好ましい。 
拡張部材の本体部には天板の下面に固定される連結部材を設けたため、天板に対する片持ち支持強度が高く天板と本体部の上面を同一平面に確保できる上に、天板に拡張部材を簡易に取り付けて連結部材の加工を最小限に設定できる。
【００１１】
また、拡張部材の左右両端部には拡張部材に交差する側部カバー部材が設けられ、側部カバー部材は天板の下面に受け部が延びて当接していることが好ましい。
拡張部材をその左右両端部に側部カバー部材を固定すると共に側部カバー部材の受け部を段差をつけて天板の下面に延ばして当接させたため、拡張部材の天板に対する固定部分である受け部が垂れたりすることを防いで天板と拡張部材の上面を同一平面に保持することができる。
【００１２】
また、天板の下部には支持部材を備えていることが好ましい。
天板を支持部材で保持することで、拡張部材とパネル体を順次片持ち支持できる。
【００１３】
また、拡張部材には配線の接続端子を装着するコネクタ部材、または配線を挿通させる配線挿通孔が設けられていてもよい。
天板や拡張部材の上面に電子機器等を載置した場合、その配線として例えば電気配線や通信ケーブル等の接続端子を装着するコネクタ部材を拡張部材に設置したり、或いは配線を挿通させる配線挿通孔を拡張部材に設置することで、配線の露出が少なくて設置の体裁が良く外観上の見栄えがよい。
【００１４】
また、支持部材には配線を収容する配線収容部を設けてもよい。
天板や拡張部材の上面に設置した電子機器の配線や拡張部材に設置するコネクタ部材の電力供給用の配線を支持部材の配線収容部に収容することで、配線の露出が少なくて設置の体裁が良く外観上の見栄えがよい。
【発明の効果】
【００１５】
本発明によるテーブル什器によれば、電子機器や他の物品等を載置して作業を行うための天板の一方の端部に拡張部材とパネル体を連結して順次片持ち支持でき、天板の平面を拡張部材に延長させた同一平面を有するために天板と拡張部材とで広く拡張された作業平面を確保できて使い勝手が良い。しかも、拡張部材の他端側にパネル体を連結したため、パネル体によって天板や拡張部材側の上面と外部空間とを仕切ることができて、拡張部材の上面からの部材や部品の落下防止や隠蔽効果等を発揮できる。
しかも、天板の作業面を狭めることなく拡張部材によってコンセント部材や配線挿通孔や什器備品等の他の部材を設置できる。また、拡張部材とパネル体との間の取り付け部の空間に配線を挿通することができて配線の設置の体裁が良く外観上の見栄えがよい。
【図面の簡単な説明】
【００１６】
【図１】本発明の第一実施形態によるテーブル什器の要部斜視図である。
【図２】図１に示すテーブル什器の側面図である。
【図３】図１に示すテーブル什器の平面図である。
【図４】図３に示すテーブル什器のＡ−Ａ線断面図である。
【図５】図２に示す支柱のＢ−Ｂ線断面図である。
【図６】本発明の第二実施形態によるテーブル什器の要部平面図である。
【図７】図６に示すテーブル什器のＣ−Ｃ線断面図である。
【発明を実施するための形態】
【００１７】
以下、本発明の実施形態によるテーブル什器１を、図１から図７を参照して説明する。
本発明の第一実施形態によるテーブル什器１は、オフィスや公共施設の執務室や会議室等で説明や作業等のために用いられるテーブル装置、即ち演台である。このテーブル什器１は、床面上に載置される脚体２と、脚体２の上に上方に向かって立設された支柱３と、支柱３の上部に取り付けられたテーブルユニット４とを概略で備えている。テーブルユニット４上には、テーブルユニット４上で行われる説明や作業等に応じてパソコン等の電子機器や作業用物品等が載置される。
【００１８】
このテーブル什器１について具体的に説明する。図１に示す脚体２は例えば平行に配列された２本の脚部材６の中央で梁部材７によって略Ｈ型に連結されている。各脚部材６の長手方向両端の下部にはそれぞれキャスター８が取り付けられており、テーブル什器１を移動可能としている。そして、梁部材７の中央には垂直方向に支柱３が立設されている。支柱３は１本に限らず、複数本設置されていてもよい。
また、支柱３の上端部にはテーブルユニット４が連結されている。支柱３の上端部には平板状で例えば四角形板状の天板１０が固定されている。天板１０の一端部１０ａには拡張部材１１が片持ち支持されており、更にその後面側には天板１０の平面に対して垂直方向に延びるパネル体１２が固定されている。パネル体１２は例えば摺りガラス状の半透明部材であるが、透明部材でもよいし、非透明部材でもよい。
【００１９】
なお、本明細書において、図２で示す天板１０の自由端側（左側）を前部、前方、前面側といい、パネル体１２側（右側）を後部、後方、背面側というものとする。しかし、本発明におけるテーブル什器１において、前方と後方の規定は便宜的なものであり、自由端部側を後方とし、パネル体１２側を前方としてもよいことは言うまでもない。
【００２０】
次に図３及び図４に基づいて拡張部材１１について詳述する。
拡張部材１１は、例えば断面視略Ｌ字状で金属製の板材であり、図３に示す例では、その横幅は天板１０の横幅よりわずかに短く形成されているが、その横幅長さは適宜設定できる。そして、断面略Ｌ字状の拡張部材１１は天板１０の延長上に位置する本体部１４と、本体部１４に略直交して下方に折り曲げられてパネル体１２と対向して略平行に垂下する支持面部１５とを有している。支持面部１５の下端は更に略Ｌ字状に本体部１４側に折り曲げられている。
更に本体部１４において支持面部１５と反対側の縁部には、天板１０の一端部１０ａに当接する段差１６を介して天板１０の下面に当接して延びる平板状の連結片１７が形成されている。この連結片１７は溶接やねじ等によって天板１０の後端側下面に固着されている連結部材である。この連結片１７によって天板１０に拡張部材１１が一体に固定されている。
【００２１】
また、拡張部材１１の本体部１４は天板１０の上面と同一平面をなす平面部１４ａを有している。そして、平面部１４ａにおいて、天板１０の一端部１０ａとこれに当接する本体部１４の段差１６に続く段部とで凹溝１９が形成されている。この凹溝１９は例えばスマートフォン等の携帯端末１８を立てかけたり筆記具等を収容でき、本体部１４の全幅に亘って形成されている。更に、その後端側には若干の平面部１４ａを介して浅い凹部２０が形成され、この凹部２０内の貫通孔２０ａにコンセント部材２１が装着されている。
コンセント部材２１には配線として電気配線のプラグを装着するコンセント２１ａとＬＡＮ等の通信配線の端子を装着するコネクタ２１ｂ等が配列されている。
なお、上述した本体部１４の構成は一例であり、その他にペン皿用の凹部が平面部１４ａ上に形成されていてもよいし、或いは本体部１４全体に天板１０と同一面の平面部１４ａが形成されてもよい。
【００２２】
また、拡張部材１１の支持面部１５において、パネル体１２との間に例えば上下に各二組の筒状軸部２３を装着して、ボルト２４によって支持面部１５とパネル体１２を連結している。これによって、拡張部材１１の支持面部１５とパネル体１２を平行に固定することができる。この場合、拡張部材の支持面部１５とパネル体１２との間に筒状軸部２３の長さによる空間部２５が形成されており、この空間部２５を、配線を挿通させる配線挿通空間としてもよい。
【００２３】
また、拡張部材１１の左右の両端部には例えば金属板状の側部カバー部材２６が拡張部材１１と略直交する方向、ここでは垂直方向にそれぞれ配設され、溶接やボルト止め等で互いに固定されている。図２及び図４に示すように、各側部カバー部材２６は拡張部材１１の本体部１４と支持面部１５の各端縁と固定され、側部カバー部材２６の上面の途中部分で段差部２６ａが形成され、この段差部２６ａで天板１０の一端部１０ａと当接し、段差部２６ａより前方側の受け部２６ｂは天板１０の底面に当接して固定させている。
これによって、拡張部材１１の前方側が天板１０より垂れること、即ち前垂れを防止できる。そのため、天板１０の上面と拡張部材１１の平面部１４ａを同一平面に保持できる。
【００２４】
つぎに、支柱３は、図１及び図５に示すように、梁部材７から起立して天板１０に連結される基軸２８の後方側に略コの字状の後部カバー２９が取り付けられ、前方側に後部カバー２９より幅の小さい前部カバー３０が取り付けられている。前部カバー３０の幅方向両端には上下方向に亘ってゴム等の弾性片３１が固定されている。そして、後部カバー２９と前部カバー３０とで囲われた基軸２８を含む空間領域が配線収容部３２を構成する。そのため、拡張部材１１に装着したコンセント部材２１への電力供給用の配線３４は配線収容部３２内に収容されている。
【００２５】
本第一実施形態によるテーブル什器１は上述の構成を有しているから、このテーブル什器１の天板１０上にパソコン等の電子機器を載置して説明や作業等を行う場合、電子機器の電気配線のプラグや通信ケーブルの端子等を拡張部材１１のコンセント部材２１のコンセント２１ａとコネクタ２１ｂ等に差し込んで表示画面を見ながら、或いは投影しながら説明や作業をすることができる。
【００２６】
しかも、コンセント部材２１の電力供給用の配線３４は支柱３の弾性片３１を変形させることで支柱３の配線収容部３２内に収納できる。また、スマートフォン等の携帯端末１８を拡張部材１１の凹溝１９に載置して他の電子機器等を操作することもできる。
また、必要に応じて他の資料や飲用ボトル等の各種物品を拡張部材１１の平面部１４ａに載置して作業を行える。
【００２７】
上述のように本第一実施形態によるテーブル什器１によれば、天板１０の後方に拡張部材１１を片持ち支持し、その上面の平面部１４ａを天板１０の天面と同一面に設定する。しかも拡張部材１１にコンセント部材２１を嵌合配置させ、しかも拡張部材１１の後方を閉塞するパネル体１２を取り付け部２３を介して連結したので、簡単な構成で作業スペースを天板１０と本体部１４とでより広く設定して他の機器や物品等が載置可能で作業がし易い。しかも、テーブル什器１は加工工数や組立工数が少なくて製造コストを低廉に抑えることができる。
また、拡張部材１１に設けたコンセント部材２１の配線３４を支柱３内の配線収容部３２内に納めることができるので外観の見栄えがよい。
【００２８】
また、拡張部材１１は本体部１４と支持面部１５を有していて、本体部１４の前方側の連結片１７を天板１０の下面に固定したので、拡張部材１１を簡単且つ容易に天板１０に取り付けることができて、天板１０への取り付け加工工数を最小限に止めることができる。更に、断面略Ｌ字状の拡張部材１１の左右両端部に側部カバー部材２６を固定してその前方側の受け部２６ｂを天板１０の下面に当接し固定させたため、天板１０と連結した拡張部材１１の連結部の前垂れを防止できる。また、天板１０と拡張部材１１の上面を同一平面にして広く保持でき、テーブルとしても使い勝手を良好に維持できる。
【００２９】
また、拡張部材１１の前面側の支持面部１５に取り付け部２３を介してパネル体１２を連結したため、パネル体１２の取り付けのための加工を天板１０に設ける必要がなくパネル体１２の垂れ下がりを防いで、加工や組み立ての工数を少なくして製造コストを低廉にできる。また、拡張部材１１の支持面部１５とパネル体１２との間の空間部２５に配線を挿通させることも可能である。
【００３０】
なお、本発明は上述の第一実施形態によるテーブル什器１に限定されることはなく、本発明の要旨を変更しない範囲で適宜の変更や置換等が可能であり、これらはいずれも本発明に含まれる。以下に、本発明の他の実施形態や変形例等について説明するが、上述した第一実施形態と同一または同様な部品や部材等には同一の符号を用いて説明を行う。
【００３１】
次に、本発明の第二実施形態によるテーブル什器４０について図６及び図７により説明する。
本第二実施形態によるテーブル什器４０では、天板１０に連結した拡張部材１１の一部に、コンセント部材２１に代えて、電気配線や通信ケーブル等の配線４１を挿通する配線挿通孔４２を設けた。これによって、天板１０に載置した電子機器の配線４１を拡張部材１１の配線挿通孔４２を通して下方に延ばし、更に支柱３内の配線収容部３２内に納めることができる。そのため、テーブル什器４０は配線４１の露出を抑えて外観の見栄えがよい。なお、配線挿通孔４２を使用しない場合には蓋で閉塞してもよい。
【００３２】
なお、本発明の変形例として、拡張部材１１の支持面部１５とパネル体１２の間の空間部２５を配線挿通空間として用いた場合には、拡張部材１１の本体部１４に配線挿通孔４２を設ける必要がなく、天板１０の延長上の平面部１４ａとしてもよい。
また、上述の各実施形態では、天板１０を支柱３で支持するようにしたが、本発明によるテーブル什器１、４０はこのような構成に限定されるものではなく、支柱３に代えて、天板１０の一の端部、例えば拡張部材１１に対向する側の端部を壁面等に取り付けてもよい。
また、上述した各実施形態では、テーブル什器１、４０において、拡張部材１１の支持面部１５とパネル体１２との間に所定長さの筒状軸部２３とボルト２４を介して連結したため、筒状軸部２３の長さに相当する空間部２５を形成したが、筒状軸部２３を配設せずに支持面部１５とパネル体１５を当接または近接させて取り付け部としてボルト２４や溶接手段等を用いて固定してもよい。この場合でも拡張部材１１の本体部１４にコネクタ部材２１や配線挿通孔４２を設置していれば配線４１等の配設に不具合は生じない。
【符号の説明】
【００３３】
１、４０  テーブル什器
２  脚体
３  支柱
５  パネル体
１０  天板
１１  拡張部材
１２  パネル体
１４  本体部
１４ａ  平面部
１５  支持面部
１９  凹溝
１７  連結片
２１  コンセント部材
２３  筒状軸部
２５  空間部
２６  側部カバー部材
２６ｂ  受け部
３２  配線収容部
４２  配線挿通孔
【図１】
0006494077.tif 000002
【図２】
0006494077.tif 000003
【図３】
0006494077.tif 000004
【図４】
0006494077.tif 000005
【図５】
0006494077.tif 000006
【図６】
0006494077.tif 000007
【図７】
0006494077.tif 000008